(57)【要約】【課題】連結管部の剛性が充分に確保され、かつ全体として流路が詰まりにくいドレーンチューブを提供する。【解決手段】内部を軸方向に複数の流路に分割する仕切り部２２と、仕切り部２２で仕切られた複数の流路２１のそれぞれの外壁２５に軸方向Ｘに沿って延びる開口２６とを有する吸引管部２０、単一の流路４１を有する流出管部４０、及び吸引管部２０と流出管部４０とを連結する連結管部３０を、一体的に備え、可撓性を有するドレーンチューブ１０であって、連結管部３０が、内壁３３から内方に向かって突出した軸方向Ｘに沿って延びる複数の帯状突起部３４を有し、複数の帯状突起部３４が、吸引管部２０から流出管部４０に向かって徐々に突出長さＬ２が短くなるドレーンチューブとする。【選択図】図８
2019205602.tif 000002
【特許請求の範囲】
【請求項１】
内部を軸方向に複数の流路に分割する仕切り部と、該仕切り部で仕切られた前記複数の流路のそれぞれの外壁に前記軸方向に沿って延びる開口とを有する吸引管部、
単一の流路を有する流出管部、及び
前記吸引管部と前記流出管部とを連結する連結管部を、一体的に備え、可撓性を有するドレーンチューブであって、
前記連結管部が、内壁から内方に向かって突出した前記軸方向に沿って延びる複数の帯状突起部を有し、該複数の帯状突起部が、前記吸引管部から前記流出管部に向かって徐々に突出長さが短くなるドレーンチューブ。
【請求項２】
前記連結管部の軸方向の長さが、５ｍｍ以上７０ｍｍ以下である請求項１記載のドレーンチューブ。
【請求項３】
前記連結管部の外径が、２ｍｍ以上１０ｍｍ以下である請求項１又は２記載のドレーンチューブ。
【請求項４】
シリコーンゴムからなる請求項１から３いずれか１項記載のドレーンチューブ。
【請求項５】
前記複数の帯状突起部が、軸周りに９０度間隔で４か所形成されてなる請求項１から４いずれか１項記載のドレーンチューブ。
【発明の詳細な説明】
【技術分野】
【０００１】
本発明は、ドレーンチューブに関する。
【背景技術】
【０００２】
血液等の体液を体外に排出する外科用医療用具として、先端から順に吸引管部、連結管部及び流出管部が一体に形成され、それらの内部に先端から後端まで通じる流路が形成されたドレーンチューブが知られている（特許文献１参照）。このようなドレーンチューブにおいては、吸引管部及び連結管部内に、吸引管部の先端から連結管部の後端まで延びる断面十字状の仕切り部が設けられ、この仕切り部によって仕切られた４つの流路が軸方向に延びている。それら４つの流路は連結管部と流出管部の境界部分で１つに合流している。また、吸引管部の外壁には、４つの流路のそれぞれに対応するように、吸引管部の先端から後端まで各流路に沿って延びる４つの開口が形成されている。
【先行技術文献】
【特許文献】
【０００３】
【特許文献１】特開２０１７−７７２６２号公報
【発明の概要】
【発明が解決しようとする課題】
【０００４】
上記のようなドレーンチューブは、吸引管部を体内に挿入して留置し、連結管部を皮膚に固定し、流出管部における後端側の部分を体外に出して吸引機等に接続して使用される。ドレーンチューブを用いた体液の排出においては、体内が過度に陰圧になることを防止する必要があるため、吸引機による吸引はあまり強くすることができず、吸引圧には限界がある。上記特許文献１に記載のドレーンチューブよりも、体液をさらに短時間で体外に排出するためには、管の内腔を広くした方が良く、そのためには、管の厚さを薄くすることが考えられる。
【０００５】
しかしながら、ドレーンチューブは、ゴムのような弾性材料からなるものであり、連結管部を皮膚にテープ等で固定して使用されるため、管の外壁厚さを薄くすると、固定時に連結管部が潰れて流路が詰まる可能性がある。
本発明は、上記事情に鑑みてなされたものであり、可撓性を有するドレーンチューブであって、連結管部の剛性が充分に確保され、かつ全体として流路が詰まりにくいドレーンチューブを提供することを目的とする。
【課題を解決するための手段】
【０００６】
本発明は、内部を軸方向に複数の流路に分割する仕切り部と、仕切り部で仕切られた複数の流路のそれぞれの外壁に軸方向に沿って延びる開口とを有する吸引管部、
単一の流路を有する流出管部、及び
吸引管部と流出管部とを連結する連結管部を一体的に備え、可撓性を有するドレーンチューブであって、
連結管部が、内壁から内方に向かって突出した軸方向に沿って延びる複数の帯状突起部を有し、複数の帯状突起部が、吸引管部から流出管部に向かって徐々に突出長さが短くなるドレーンチューブである。
【０００７】
連結管部の軸方向の長さは、５ｍｍ以上７０ｍｍ以下であることが好ましい。
【０００８】
連結管部の外径は、２ｍｍ以上１０ｍｍ以下であることが好ましい。
【０００９】
本発明のドレーンチューブは、シリコーンゴムからなることが好ましい。
【００１０】
複数の帯状突起部は、軸周りに９０度間隔で４か所形成されてなるものが好ましい。
【発明の効果】
【００１１】
本発明のドレーンチューブによれば、連結管部の強度を充分に確保しつつ、全体として流路が詰まりにくいドレーンチューブを得ることができる。
【図面の簡単な説明】
【００１２】
【図１】本発明のドレーンチューブの一実施形態を示す斜視図である。
【図２】図１のドレーンチューブにおける吸引管部の端部を拡大した斜視図である。
【図３】図１におけるＡ−Ａ断面図である。
【図４】図１におけるＣ−Ｃ断面図である。
【図５】図１におけるＢ１−Ｂ１断面図である。
【図６】図１におけるＢ２−Ｂ２断面図である。
【図７】図１におけるＢ３−Ｂ３断面図である。
【図８】図１のドレーンチューブの連結管部を拡大した側面図である。
【図９】図１におけるＤ−Ｄ断面図である。
【図１０】押出成形で作製する場合に使用するインナーコアダイの一例を示す斜視図である。
【図１１】吸引量の計測方法を示す図である。
【発明を実施するための形態】
【００１３】
以下、本発明の実施形態について詳細に説明するが、以下の実施形態は例示の目的で提示するものであり、本発明は、以下に示す実施形態に、何ら限定されるものではない。
【００１４】
［ドレーンチューブ］
本発明のドレーンチューブの一実施形態について説明する。図１に、本実施形態のドレーンチューブの斜視図を示す。図２に、図１のドレーンチューブにおける吸引管部の先端を拡大した斜視図を示す。図３に、図１におけるＡ−Ａ断面図を示す。
【００１５】
本実施形態のドレーンチューブ１０は、図１に示すように、先端１０ａから後端１０ｂに向かって、吸引管部２０、流出管部４０、及び、吸引管部２０と流出管部４０とを連結する連結管部３０を一体的に備える。
吸引管部２０は、ドレーンチューブ１０の先端１０ａ側に位置し、体液を吸引する部分である。図２に示すように、患部に溜まった体液はドレーンチューブ１０の開口２６部分から流路２１内に入る。また、流出管部４０は、図１に示すように、ドレーンチューブ１０の後端１０ｂ側に位置し、吸引機等に接続されて体液を排出する部分である。そして、連結管部３０は、図１に示すように、吸引管部２０と流出管部４０とを連結する部分であり、皮膚等に例えばテープで固定される。体液は、吸引管部２０から連結管部３０を通って流出管部４０から排出される。
【００１６】
まず、吸引管部２０の詳細について説明する。
吸引管部２０は、図２及び図３に示すように、内部を軸方向Ｘに複数の流路２１に分割する仕切り部２２と、仕切り部２２で仕切られた複数の流路２１のそれぞれの外壁２５に軸方向Ｘに沿って延びる開口２６とを有する。仕切り部２２は、軸方向に沿って延びる棒状の芯部２３と、芯部２３から内壁２７まで延び、かつ軸方向Ｘに沿って延びる４つの帯状の仕切り板２４とから構成される。
【００１７】
図３に示すように、４つの仕切り板２４は、ドレーンチューブ１０の軸方向Ｘに垂直な断面において、軸周りに９０度間隔で芯部２３から放射状に形成されている。これにより、吸引管部２０の内部には、４つの流路２１が形成されている。
【００１８】
仕切り板２４の厚みｔ１は、特に限定されず、仕切り板２４によって仕切られる流路の広さ、体内に挿入した際の吸引管部２０の潰れにくさ等を考慮して適宜設定すればよい。仕切り板２４の厚みｔ１は、例えば、０．１〜２ｍｍとすることができる。
仕切り板２４の厚みｔ１は、芯部２３から外壁まで一定であってもよく、変化していてもよい。仕切り板２４が屈曲して吸引管部２０が潰れることを抑制しやすいという観点から、仕切り板２４の厚みｔ１は芯部から外壁まで一定であることが好ましい。
【００１９】
本発明では、吸引管部の内部に形成される流路の数は、４に限定されず、３以下であってもよく、５以上であってもよい。例えば、ドレーンチューブ１０の軸方向Ｘに垂直な方向に切断した断面において、吸引管部の内部に、軸周りに１２０度間隔で芯部から放射状に３つの仕切り板が形成された仕切り部を備え、吸引管部の内部に仕切り板によって中心軸周りに３つの流路が形成された態様であってもよい。
【００２０】
流路の数が増えるほど仕切り部の仕切り板の数が増えるため、流路が狭くなって吸引量が低下する傾向があり、また体内に挿入したときに吸引管部が潰れにくくなる傾向がある。流路の広さと体内に挿入したときの吸引管部の潰れにくさのバランスの点では、吸引管部の内部に形成される流路の数は、２〜８が好ましく、４が特に好ましい。
【００２１】
吸引管部２０は、図１及び図２に示すように、仕切り部２２で仕切られた４つの流路２１のそれぞれの外壁２５に、軸方向Ｘに沿って延びる４つの開口２６が形成されている。開口２６は、先端１０ａから吸引管部２０の後端２０ｂ近傍まで形成されている。吸引管部２０の外壁２５に開口２６が形成されていることにより、吸引管部２０の外周部分から開口２６を通じて流路２１に体液を吸引することができる。
【００２２】
本発明においては、吸引管部２０に形成された開口２６は、ドレーンチューブ１０の軸方向Ｘに沿って延びており、また、その端はドレーンチューブ１０の先端１０ａに達している。これにより、吸引管部２０を体内に留置している際に体内組織が開口部分に入り込むように成長しても、吸引管部２０を体外に引き抜くときに体内組織が開口２６に沿って吸引管部２０の先端１０ａまで移動して抜けることができる。そのため、吸引管部２０を体外に引き抜くときに開口部分に入り込んだ体内組織が引き裂かれることを抑制することができる。
【００２３】
図３に示すように、吸引管部２０の外径ｄ２０は、２ｍｍ以上１０ｍｍ以下であることが好ましく、３ｍｍ以上９ｍｍ以下であることがより好ましく、５ｍｍ以上９ｍｍ以下がさらに好ましく、６ｍｍ以上９ｍｍ以下がよりさらに好ましく、８ｍｍ以上９ｍｍ以下が特に好ましい。
また、開口２６の幅Ｗ２０は、吸引管部２０の外径ｄ２０、体液の吸引量等を考慮して、ドレーンチューブ１０の外径等に応じて適宜決定すればよい。開口幅Ｗ２０は、例えば、０．１ｍｍ以上７ｍｍ以下とすることができる。
【００２４】
吸引管部２０の外壁の厚みｔ２０は、ドレーンチューブ１０の柔軟性、体内に挿入した際の潰れにくさ、ミルキング操作の際の切れにくさ等を考慮し、ドレーンチューブ１０の外径、材料等に応じて適宜設定すればよい。吸引管部２０の外壁の厚みｔ２０は、０．４ｍｍ以上３ｍｍ以下が好ましく、０．４ｍｍ以上２ｍｍ以下がより好ましく、０．８ｍｍ以上２ｍｍ以下がさらに好ましい、０．８ｍｍ以上１．８ｍｍ以下が特に好ましい。
【００２５】
吸引管部２０の長さＬ２０（図１参照）は、特に制限されるものではないが、２５０ｍｍ以上７００ｍｍ以下であることが好ましい。ここで、吸引管部２０の長さＬ２０は、先端１０ａから、後述する接続部分５０を含む後端２０ｂまでの長さである。
【００２６】
本発明においては、開口２６の数は、４には限定されず、３以下であってもよく、５以上であってもよい。また、吸引管部２０の外壁２５に形成される開口２６の数は、吸引管部２０の内部に形成される流路２１の数と同じであってもよく、異なっていてもよい。
例えば、ドレーンチューブ１０のように吸引管部２０の内部に４つの流路が形成されている場合、吸引管部２０の外壁２５における３つの流路にそれぞれに対応する位置に、先端１０ａから３つの流路が形成されている態様であってもよい。
【００２７】
吸引管部２０の外壁２５に開口２６を複数形成する場合、開口２６の長さは、同じであってもよく、異なっていてもよい。吸引管部２０の軸方向Ｘの長さは、特に限定されず、ドレーンチューブ１０を体内に留置する位置を考慮して適宜決定すればよい。
【００２８】
次に、流出管部４０について説明する。
図４に、図１におけるＣ−Ｃ断面図を示す。
図４に示すように、流出管部４０は、管内部には仕切り部が設けられておらず、単一の流路４１を備える。流出管部４０は、使用時において、後端１０ｂが吸引機等に接続される。
流出管部４０の外径ｄ４０、及び流出管部４０の外壁の厚みｔ４０は、上記吸引管部２０と同等である。
【００２９】
流出管部４０の長さＬ４０（図１参照）は、３００ｍｍ以上１０００ｍｍ以下が好ましく、３００ｍｍ以上９５０ｍｍ以下がより好ましく、４００ｍｍ以上８５０ｍｍ以下がさらに好ましい。
【００３０】
次に、連結管部３０について説明する。
図５、図６及び図７に、それぞれ、図１におけるＢ１−Ｂ１断面図、図１におけるＢ２−Ｂ２断面図、及び、図１におけるＢ３−Ｂ３断面図を示す。図８に、ドレーンチューブの連結管部を拡大した側面図を示す。
図５に示すように、連結管部３０は、内壁３３から内方に向かって突出した複数の帯状突起部３４を有する。帯状突起部３４は、軸周りに９０度間隔で４か所に形成されている。
４つの帯状突起部３４は、図５〜図７に示すように、吸引管部２０から流出管部４０に向かって徐々に突出長さＬ２が短くなっている。また、図８に示すように、帯状突起部３４は、連結管部の後端３０ｂで消滅する。連結管部３０の内部には、吸引管部２０のように、芯部２３を有しないため、図５〜図７に示すように、単一の流路３１を有するものである。
【００３１】
従来のドレーンチューブの連結管部は、上記の通り、断面十字状の仕切り部が設けられ、４つの流路が形成されているが、本発明のドレーンチューブ１０は、単一の流路であるので、ドレーンチューブ１０全体の流量を確保することができ、体液が詰まりにくい。また、連結管部３０では、吸引管部２０から流出管部４０に向かって徐々に突出長さＬ２が短くなっていることにより、皮膚への固定時に管が潰れないように充分な剛性も確保することができる。
【００３２】
図５に示すように、帯状突起部３４の厚さｔ２は、連結管部３０の剛性を確保する観点から、０．５ｍｍ以上２．０ｍｍ以下であることが好ましく、０．８ｍｍ以上１．８ｍｍ以下がより好ましい。
【００３３】
なお、図８及び図９に示すように、吸引管部２０における連結管部３０との接続部分５０には、開口２６を有さず、仕切り部２２のみが形成されている。接続部分５０の仕切り部２２は、吸引管部２０から連結管部３０及び流出管部４０を一連で作製する過程において生じるものである。
【００３４】
連結管部３０の軸方向Ｘの長さＬ３０（図１参照）は、５ｍｍ以上７０ｍｍ以下であることが好ましい。１０ｍｍ以上６０ｍｍ以下がより好ましく、３０ｍｍ以上５５ｍｍ以下がさらに好ましい。連結管部３０の長さＬ３０が上記範囲内であることにより、連結管部３０における体液の流体の抵抗が小さくなることで、吸引機による吸引が強くない場合であっても吸引量を充分に高くすることができる。そのため、体内に溜まった体液を短期間に排出することができ、また連結管部３０内の流路３１が詰まることを抑制することができる。
【００３５】
連結管部３０の外径ｄ３０、及び外壁の厚みｔ３０（図５参照）は、上記吸引管部２０と同等である。
【００３６】
本発明においては、吸引管部２０、連結管部３０及び流出管部４０の外径ｄ２０、ｄ３０、及びｄ４０は、体内への挿入及び体内からの引き抜きが容易な点から、同じであることが好ましい。なお、本発明の効果、体内への挿入性及び体外への引き抜き性を損なわない範囲であれば、吸引管部２０、連結管部３０及び流出管部４０の外径ｄ２０、ｄ３０、及びｄ４０は、それぞれ異なっていてもよい。
【００３７】
本発明のドレーンチューブ１０は可撓性を有するものであり、材料としては、シリコーンゴムが好ましい。シリコーンゴムは、軟質ポリウレタン等に比べて柔軟である。そのため、ドレーンチューブをシリコーンゴムで形成することで、吸引管部２０を体内の目的の位置に留置させることが容易になる。
【００３８】
図２に示すように、本発明のドレーンチューブ１０は、外壁２５の一部に、Ｘ方向に沿って、造影剤が配合された造影部分２８を設けて、Ｘ線を用いた造影を可能とすることが好ましい。特に、ドレーンチューブ１０において体内に挿入される部分である吸引管部２０及び連結管部３０に造影剤を配合することが好ましい。これにより、吸引管部２０が体内の目的の位置に留置されたかどうかの確認が可能となる。また、チューブを引き抜く際に吸引管部２０や連結管部３０が万が一切れたとしても、体内に存在する切断部分を確認できるため、予期せずチューブが体内に取り残されることを防ぐことができる。
【００３９】
造影剤としては、公知のものを使用することができ、例えば、硫酸バリウム、酸化チタン等が挙げられる。造影剤としては、１種を単独で使用してもよく、２種以上を組み合わせて使用してもよい。
【００４０】
ドレーンチューブ１０への造影剤の配合量が多いほど、ドレーンチューブ１０の強度が低下して切れやすくなる、又は、体内へ挿入した際に潰れやすくなる傾向がある。そのため、ドレーンチューブ１０に造影剤を配合する場合は、ドレーンチューブ１０における特定の部位に部分的に造影剤を配合することが好ましい。
具体的には、例えば、ドレーンチューブ１０の場合、仕切り部２２における４つの仕切り板２４のうちの１つにその先端から後端まで造影剤を配合することができる。
【００４１】
以上説明した本発明のドレーンチューブにおいては、連結管部３０において、吸引管部２０から流出管部４０に向かって徐々に突出長さＬ２が短くなる帯状突起部３４を設けることによって、連結管部３０における流動抵抗が小さくなるため、吸引機による吸引が強くなくても吸引量を充分に高くすることができる。また、仕切り部を過度に薄くする必要もないため、吸引管部２０及び連結管部３０の強度を充分に確保することができ、体内に挿入した際に潰れたり、体内から引き抜く際にも千切れたりすることを抑制することができる。このように、本発明のドレーンチューブにおいては、連結管部３０の強度を充分に確保しつつ、吸引量を充分に高くして体内に溜まった体液を短期間に排出することができ、また流路も詰まりにくい。
【００４２】
［ドレーンチューブの製造方法］
本発明のドレーンチューブの製造方法について説明する。
本発明のドレーンチューブは、例えば、押出成形により、吸引管部、連結管部及び流出管部を一体に作製することができる。図１０に、押出成形で使用するインナーコアダイの一例の斜視図を示す。
図１０に示すように、インナーコアダイ１００は、第一シャフト６１、第二シャフト７１、及び第三シャフト８１からなる。第一シャフト６１は、４つの突出部６３を有する。第二シャフト７１は、中心開口部７７と、中心開口部７７から放射状に延びる４つの開口部７５と、４つの湾曲部７３とを有する。第三シャフト８１は、芯部８７と芯部８７から放射状に延びる支柱部８３とを有する。
【００４３】
本発明のドレーンチューブ１０は、まず、第一シャフト６１と第二シャフト７１とを円形のダイ開口部（不図示）まで突出させて、ゴム組成物を押出すことによって形成する。
次に、第一シャフト６１のみを後退させた後、第三シャフト８１を徐々にダイ開口部に向かって移動させながらゴム組成物を押出すことによって連結管部３０を形成する。このとき、第三シャフト８１の移動速度、ゴム組成物の粘度を適宜調整することによって、図８に示すような、帯状突起部３４の突出長さＬ２が、吸引管部２０から流出管部４０に向かって徐々に短くなる連結管部３０を得ることができる。
続けて、第二シャフト７１と第三シャフト８１とをダイ開口まで突出させた状態でゴム組成物を押出すことによって、流出管部４０を形成する。
【実施例】
【００４４】
以下、実施例によって本発明を詳細に説明するが、本発明は以下の記載によっては限定されない。
【００４５】
［実施例１］
ドレーンチューブ１０として、全長が１２１０ｍｍであり、吸引管部２０、連結管部３０、及び流出管部４０に亘って外径が３．５ｍｍ、外壁厚さが０．９ｍｍのものを用いた。詳細は以下の通りである。
吸引管部２０の長さＬ２０：２５０ｍｍ
連結管部３０の長さＬ３０：４５ｍｍ
流出管部４０の長さＬ４０：５０５ｍｍ
帯状突起部３４の厚さｔ２：０．９ｍｍ
【００４６】
［実施例２］
ドレーンチューブ１０として、全長が１２１０ｍｍであり、吸引管部２０、連結管部３０、及び流出管部４０に亘って外径が５．０ｍｍ、外壁厚さが０．９５ｍｍのものを用いた。詳細は以下の通りである。
吸引管部２０の長さＬ２０：３５０ｍｍ
連結管部３０の長さＬ３０：４５ｍｍ
流出管部４０の長さＬ４０：５０５ｍｍ
帯状突起部３４の厚さｔ２：０．９５ｍｍ
【００４７】
［実施例３］
ドレーンチューブとして、全長１２１０ｍｍ、吸引管部２０、連結管部３０、及び流出管部４０に亘って外径が６．５ｍｍ、外壁厚さが１．２２ｍｍのものを用いた。詳細は以下の通りである。
吸引管部２０の長さＬ２０：３５０ｍｍ
連結管部３０の長さＬ３０：４５ｍｍ
流出管部４０の長さＬ４０：８１５ｍｍ
帯状突起部３４の厚さｔ２：１．２２ｍｍ
【００４８】
［実施例４］
ドレーンチューブとして、全長８００ｍｍ、吸引管部２０、連結管部３０、及び流出管部４０に亘って外径が８．０ｍｍ、外壁厚さが１．７５ｍｍのものを用いた。詳細は以下の通りである。
吸引管部２０の長さＬ２０：３５０ｍｍ
連結管部３０の長さＬ３０：４５ｍｍ
流出管部４０の長さＬ４０：４０５ｍｍ
帯状突起部３４の厚さｔ２：１．７５ｍｍ
【００４９】
［連結管部の剛性の測定方法及び吸引量の計測方法］
ドレーンチューブの吸引量は以下のようにして計測した。
図１１に示すように、ハイベッセル１１０内に０．７５質量％アルギン酸ナトリウム水溶液（約２ｋｇ）を入れ、そのハイベッセル１１０を天秤１１２上に設置した。天秤１１２はパーソナルコンピュータ１１４と接続し、天秤１１２の指示値がリアルタイムでパーソナルコンピュータ１１４に入力されるようにした。ドレーンチューブ１０の流出管部の後端を、接続コネクタ１１６及び接続チューブ１１８を介して貯水容器１２０と接続した。
貯水容器１２０には、レギュレータ１２２を介して吸引機１２４を接続し、さらにマノメータ１２６を接続して吸引圧を確認できるようにした。
次いで、ドレーンチューブ１０の連結管部３０を１００ｇの重りをつけたタコ糸で１周巻いて吊り下げ、ドレーンチューブ１０の吸引管部を先端がハイベッセル１１０の側壁に接触しないようにアルギン酸ナトリウム水溶液中に浸漬した。次いで、吸引機を起動し、ドレーンチューブ１０を通じてアルギン酸ナトリウム水溶液を吸引した。アルギン酸ナトリウム水溶液が貯水容器１２０に到達した後、レギュレータ１２２によってマノメータ１２６の値が２００±２ｍｍＨ２Ｏになるように調節した。ドレーンチューブ１０内及び接続チューブ１１８内に気泡がないことを確認し、気泡があった場合は気泡を抜いて、マノメータ１２６の数値が安定（１分間変化無し）になってから、１分間の吸引量を目視で確認した。
【００５０】
（測定条件）
測定条件は以下の通りである。
水溶液温度：１９．２℃
気温：２１．６℃
湿度：２８％
水溶液粘度：９８．８ｍＰａ・ｓ
【００５１】
実施例１から４のいずれも、吸引量は連結管部３０の剛性が高く、そのため、流動性も良好であった。
【符号の説明】
【００５２】
１０    ドレーンチューブ
１０ａ    （ドレーンチューブの）先端
１０ｂ    （ドレーンチューブの）後端
２０    吸引管部
２０ｂ    （吸引管部の）後端
２２    仕切り部
２３    芯部
２４    仕切り板
２５    外壁
２６    開口
２７    （吸引管部の）内壁
３０    連結管部
３０ｂ    （連結管部の）後端
３３    （連結管部の）内壁
３４    帯状突起部
４０    流出管部
２１、３１、４１    流路
５０    接続部分
６０    インナーコアダイ
６１    第一シャフト
６３    突出部
７１    第二シャフト
７３    湾曲部
７５    開口部
７７    中心開口部
８１    第三シャフト
８３    支柱部
８７    芯部
１００  インナーコアダイ
Ｘ    軸方向
【図１】
2019205602.tif 000003
【図２】
2019205602.tif 000004
【図３】
2019205602.tif 000005
【図４】
2019205602.tif 000006
【図５】
2019205602.tif 000007
【図６】
2019205602.tif 000008
【図７】
2019205602.tif 000009
【図８】
2019205602.tif 000010
【図９】
2019205602.tif 000011
【図１０】
2019205602.tif 000012
【図１１】
2019205602.tif 000013